(57)【要約】【目的】  小型軽量化が容易で投写映像に縦すじが生じるのを軽減できるクロスダイクロイックミラー及び照明装置及び投写型映像表示装置を提供する。【構成】  この投写型映像表示装置６は３つのＬＥＤ光源１Ｒ，１Ｇ，１Ｂを備える。ＬＥＤ光源１Ｒは赤色光を出射し、ＬＥＤ光源１Ｇは緑色光を出射し、ＬＥＤ光源１Ｂは青色光を出射する。各ＬＥＤ光源１から出射された各色光はクロスダイクロイックミラー２によってロッドインテグレータ３の光入射面に導かれる。クロスダイクロイックミラー２は第１クロスダイクロイックミラー部２ａと第２クロスダイクロイックミラー部２ｂとから成る。第１クロスダイクロイックミラー部２ａは２分割されており、第２クロスダイクロイックミラー部２ｂも２分割されている。クロスダイクロイックミラー２は、これら４枚の分割部が各々の角辺を近接させてクロス配置された構造を有する。【選択図】        図１
2005316405.tif 000002
【特許請求の範囲】
【請求項１】
２分割された第１ダイクロイックミラーと２分割された第２ダイクロイックミラーとから成り、これら４枚のダイクロイックミラーが各々の角辺を近接させてクロス配置された構造を有することを特徴とするクロスダイクロイックミラー。
【請求項２】
請求項１に記載のクロスダイクロイックミラーにおいて、クロス点が第１ダイクロイックミラー及び第２ダイクロイックミラーの非中央部に存在することを特徴とするクロスダイクロイックミラー。
【請求項３】
請求項１又は請求項２に記載のクロスダイクロイックミラーにおいて、前記第１ダイクロイックミラーと第２ダイクロイックミラーとは直角にクロス配置されていることを特徴とするクロスダイクロイックミラー。
【請求項４】
請求項１又は請求項２に記載のクロスダイクロイックミラーにおいて、前記第１ダイクロイックミラーと第２ダイクロイックミラーとは非直角にクロス配置されていることを特徴とするクロスダイクロイックミラー。
【請求項５】
対面する第１・第２光入射領域と一つの光出射領域と前記光出射領域に対面する第３光入射領域とを有し、各光入射領域から入射された各色光をそれぞれ略同一方向へ導いて前記光出射領域から出射する光学部材として請求項１乃至請求項４のいずれかに記載のクロスダイクロイックミラーを備えると共に、前記第１光入射領域に配置された赤色光源と、前記第２光入射領域に配置された青色光源と、前記第３光入射領域に配置された緑色光源と、を備えたことを特徴とする照明装置。
【請求項６】
請求項５に記載の照明装置において、前記クロスダイクロイックミラーから出射された各色光の強度を照明対象物上で均一化する光インテグレータを備えたことを特徴とする照明装置。
【請求項７】
請求項６に記載の照明装置において、前記光インテグレータは中空又は非中空構造のロッドインテグレータであることを特徴とする照明装置。
【請求項８】
請求項６に記載の照明装置において、前記光インテグレータは一対のフライアイレンズから成ることを特徴とする照明装置。
【請求項９】
請求項５乃至請求項８のいずれかに記載の照明装置において、前記光源は固体発光素子から成ることを特徴とする照明装置。
【請求項１０】
請求項５乃至請求項９のいずれかに記載の照明装置において、赤色光と緑色光と青色光が常時出射されるように構成されたことを特徴とする照明装置。
【請求項１１】
請求項５乃至請求項９のいずれかに記載の照明装置において、赤色光と緑色光と青色光が所定時間ずつ順次に出射されるように構成されたことを特徴とする照明装置。
【請求項１２】
請求項１０に記載の照明装置と、一つのフルカラーライトバルブと、前記フルカラーライトバルブを経ることで得られた映像光を投写する投写手段と、を備えたことを特徴とする投写型映像表示装置。
【請求項１３】
請求項１１に記載の照明装置と、一つのライトバルブと、各色光の出射タイミングに同期して前記ライトバルブに各色用の映像信号を供給する手段と、前記ライトバルブを経ることで得られた映像光を投写する投写手段と、を備えたことを特徴とする投写型映像表示装置。
【請求項１４】
請求項５乃至請求項１１のいずれかに記載の照明装置において、前記赤色光源の近傍に、回路基板、記憶装置、外部機材装着部等の部材が配置されたことを特徴とする照明装置。
【請求項１５】
請求項１２又は請求項１３に記載の投写型映像表示装置において、前記赤色光源の近傍に、回路基板、記憶装置、外部機材装着部等の部材が配置されたことを特徴とする投写型映像表示装置。
【請求項１６】
請求項５乃至請求項１１又は請求項１４のいずれかに記載の照明装置において、一次電池又は二次電池により駆動されることを特徴とする照明装置。
【請求項１７】
請求項１２又は請求項１３又は請求項１５に記載の投写型映像表示装置において、一次電池又は二次電池により駆動されることを特徴とする投写型映像表示装置。
【請求項１８】
白色光源からの光を複数の色光に分離するクロスダイクロイックミラーを備えた照明装置であって、前記クロスダイクロイックミラーとして請求項１乃至請求項４のいずれかに記載のクロスダイクロイックミラーを備えたことを特徴とする照明装置。
【請求項１９】
請求項１８に記載の照明装置において、前記光源は固体発光素子から成ることを特徴とする照明装置。
【請求項２０】
請求項１８又は請求項１９に記載の照明装置と、複数の各色光用のライトバルブと、前記ライトバルブを経ることで得られた映像光を合成して投写する投写手段と、を備えたことを特徴とする投写型映像表示装置。
【請求項２１】
赤色光を出射する第１光源と、緑色光を出射する第２光源と、青色光を出射する第３光源と、対面する二つの光入射領域と他の一つの光入射領域と前記他の一つの光入射領域に対面する一つの光出射領域とを有し、入射された前記赤色光と緑色光と青色光をそれぞれ略同一方向へ導いて前記光出射領域から各色光を出射するクロスダイクロイックミラーと、前記クロスダイクロイックミラーから出射された各色光の強度を照明対象物上で均一化する光インテグレータと、を備えたことを特徴とする照明装置。
【発明の詳細な説明】
【技術分野】
【０００１】
この発明は、クロスダイクロイックミラー及び照明装置及び投写型映像表示装置に関する。
【背景技術】
【０００２】
液晶プロジェクタなどに用いられる照明装置としては、超高圧水銀ランプ、メタルハライドランプ、キセノンランプ等のランプと、その照射光を平行光化するパラボラリフレクタから成るものが一般的である。また、かかる照明装置においては、照射面の光量むらを軽減するために、一対のフライアイレンズによるインテグレート機能( 光学デバイスにより平面内にサンプリング形成された所定形状の複数照明領域を照明対象物上に重畳集光する機能をいう）を持たせたものがある。更に、近年においては、発光ダイオード（ＬＥＤ）を光源として用いることも試みられている（特許文献１参照）。
【特許文献１】特開２００２−１８９２６３号
【発明の開示】
【発明が解決しようとする課題】
【０００３】
投写型映像表示装置においては、小型軽量化が一つの課題である。また、従来のクロスダイクロイックミラーは、第１ダイクロイックミラーと２分割された第２ダイクロイックミラーとから成り、これら３枚のダイクロイックミラーがクロス配置されたものであり、前記クロス部において境界線（暗線，縦すじ）が目立つ場合がある。
【０００４】
この発明は、上記事情に鑑み、小型軽量化が容易であり、また、投写映像に縦すじが生じるのを軽減できるクロスダイクロイックミラー及びこのクロスダイクロイックミラーを用いた照明装置及びこの照明装置等を用いた投写型映像表示装置を提供することを目的とする。
【課題を解決するための手段】
【０００５】
この発明のクロスダイクロイックミラーは、上記の課題を解決するために、２分割された第１ダイクロイックミラーと２分割された第２ダイクロイックミラーとから成り、これら４枚のダイクロイックミラーが各々の角辺を近接させてクロス配置された構造を有することを特徴とする。
【０００６】
上記の構成であれば、クロスダイクロイックミラーは４枚に分割されたダイクロイックミラーが各々の角辺を近接させてクロス配置された構造を有するので、境界線（暗線，縦すじ）の発生が軽減される。
【０００７】
上記構成のクロスダイクロイックミラーにおいて、クロス点が第１ダイクロイックミラー及び第２ダイクロイックミラーの非中央部に存在してもよい。また、これら構成のクロスダイクロイックミラーにおいて、前記第１ダイクロイックミラーと第２ダイクロイックミラーとは直角にクロス配置されていてもよい。或いは、前記第１ダイクロイックミラーと第２ダイクロイックミラーとは非直角にクロス配置されていてもよい。
【０００８】
また、この発明の照明装置は、対面する第１・第２光入射領域と一つの光出射領域と前記光出射領域に対面する第３光入射領域とを有し、各光入射領域から入射された各色光をそれぞれ略同一方向へ導いて前記光出射領域から出射する光学部材として請求項１乃至請求項４のいずれかに記載のクロスダイクロイックミラーを備えると共に、前記第１光入射領域に配置された赤色光源と、前記第２光入射領域に配置された青色光源と、前記第３光入射領域に配置された緑色光源と、を備えたことを特徴とする。
【０００９】
上記構成の照明装置において、前記クロスダイクロイックミラーから出射された各色光の強度を照明対象物上で均一化する光インテグレータを備えていてもよい。前記光インテグレータは中空又は非中空構造のロッドインテグレータであってもよい。或いは、前記光インテグレータは一対のフライアイレンズから成っていてもよい。
【００１０】
これら構成の照明装置において、前記光源は固体発光素子から成っていてもよい。
【００１１】
これら構成の照明装置において、赤色光と緑色光と青色光が常時出射されるように構成されていてもよい（以下、この項において第１構成という）。或いは、これら構成の照明装置において、赤色光と緑色光と青色光が所定時間ずつ順次に出射されるように構成されていてもよい（以下、この項において第２構成という）。
【００１２】
また、この発明の投写型映像表示装置は、前記第１構成の照明装置と、一つのフルカラーライトバルブと、前記フルカラーライトバルブを経ることで得られた映像光を投写する投写手段と、を備えたことを特徴とする。
【００１３】
また、この発明の投写型映像表示装置は、前記第２構成の照明装置と、一つのライトバルブと、各色光の出射タイミングに同期して前記ライトバルブに各色用の映像信号を供給する手段と、前記ライトバルブを経ることで得られた映像光を投写する投写手段と、を備えたことを特徴とする。
【００１４】
また、上述したいずれかの照明装置において、前記赤色光源の近傍に、回路基板、記憶装置、外部機材装着部等の部材が配置されていてもよい。また、上述したいずれかの投写型映像表示装置において、前記赤色光源の近傍に、回路基板、記憶装置、外部機材装着部等の部材が配置されていてもよい。
【００１５】
また、上述したいずれかの照明装置において、一次電池又は二次電池により駆動される構成としてもよい。また、上述したいずれかの投写型映像表示装置において、一次電池又は二次電池により駆動される構成としてもよい。
【００１６】
また、この発明の照明装置は、白色光源からの光を複数の色光に分離するクロスダイクロイックミラーを備えた照明装置であって、前記クロスダイクロイックミラーとして前述したいずれかのクロスダイクロイックミラーを備えたことを特徴とする（以下、この項において第３構成という）。第３構成の照明装置において、前記光源は固体発光素子から成っていてもよい。また、この発明の投写型映像表示装置は、前記第３構成及びこれに従属する照明装置と、複数の各色光用のライトバルブと、前記ライトバルブを経ることで得られた映像光を合成して投写する投写手段と、を備えたことを特徴とする。
【００１７】
また、この発明の照明装置は、赤色光を出射する第１光源と、緑色光を出射する第２光源と、青色光を出射する第３光源と、対面する二つの光入射領域と他の一つの光入射領域と前記他の一つの光入射領域に対面する一つの光出射領域とを有し、入射された前記赤色光と緑色光と青色光をそれぞれ略同一方向へ導いて前記光出射領域から各色光を出射するクロスダイクロイックミラーと、前記クロスダイクロイックミラーから出射された各色光の強度を照明対象物上で均一化する光インテグレータと、を備えたことを特徴とする。
【発明の効果】
【００１８】
この発明によれば、照明装置及び投写型映像表示装置の小型軽量化が容易である。また、投写映像に縦すじが生じるのを軽減できる等の諸効果を奏する。
【発明を実施するための最良の形態】
【００１９】
以下、この発明の実施例を図１乃至図７に基づいて説明していく。
【００２０】
図１は単板式の投写型映像表示装置６Ａの光学系を示した図である。この投写型映像表示装置６Ａは３つのＬＥＤ光源１Ｒ，１Ｇ，１Ｂを備える（以下、個々のＬＥＤ光源を特定しないで示すときには、符号”１”を用いる）。各ＬＥＤ光源１は、ＬＥＤ（発光ダイオード）がアレイ状に配置された構造を有する。各ＬＥＤ光源１の縦横比は液晶パネル４の縦横比に略一致させてもよい。ＬＥＤ光源１Ｒは赤色光を出射し、ＬＥＤ光源１Ｇは緑色光を出射し、ＬＥＤ光源１Ｂは青色光を出射する。ＬＥＤ光源１Ｇはクロスダイクロイックミラー２を挟んでロッドインテグレータ３の光入射面に対面して設けられ、ＬＥＤ光源１ＲとＬＥＤ光源１Ｂはクロスダイクロイックミラー２を挟んで互いに対面して配置されている。すなわち、クロスダイクロイックミラー２の第１光入射領域にはＬＥＤ光源１Ｒが設けられ、第２光入射領域にはＬＥＤ光源１Ｂが設けられ、第３光入射領域にはＬＥＤ光源１Ｇが配置される。なお、図示はしていないが、クロスダイクロイックミラー２の非光入射領域にミラー板を設けることでＬＥＤからの出射光の利用効率を高めるようにしてもよい。
【００２１】
クロスダイクロイックミラー２は、図２にも示すように、第１クロスダイクロイックミラー部２ａと第２クロスダイクロイックミラー部２ｂとを直交させてクロス配置して成る。第１クロスダイクロイックミラー部２ａは、赤色光を反射し赤色光以外の光を透過する。第２クロスダイクロイックミラー部２ｂは、青色光を反射し青色光以外の光を透過する。第１クロスダイクロイックミラー部２ａは第１分割部２ａ1 と第２分割部２ａ2 とから成り、第２クロスダイクロイックミラー部２ｂは第１分割部２ｂ1 と第１分割部２ｂ2 とから成る。各分割部の角は９０°である。クロスダイクロイックミラー２は、これら４枚の分割部が各々の角辺を近接させてクロス配置された構造を有する。かかる構造を有することで、従来のクロスダイクロイックミラーで生じがちな問題（投影映像に境界線（暗線，縦すじ）が入る等）が解決される。
【００２２】
クロスダイクロイックミラー２における二枚のダイクロイックミラー２ａ・２ｂの各々の一端側（光入射側における一端側）の縁を結ぶ面をクロスダイクロイックミラー２における光入射領域と定義する。クロスダイクロイックミラー２の第１・第２光入射領域（赤色光入射領域と青色光入射領域）は互いに平行に形成されている。更に、前記ロッドインテグレータ３の側面は前記光入射領域と面一に形成されている。また、前記クロスダイクロイックミラー２の対面する二つの非光入射領域（前述したミラー板が配置される領域）も互いに平行に形成され、前記ロッドインテグレータ３の側面は前記非光入射領域と平行又は略平行に形成されている。更に、前記ロッドインテグレータ３の側面は前記非光入射領域と面一に形成されている。ＬＥＤ光源１Ｒ及びＬＥＤ光源１Ｂにおける主光線軸は、前記第１・第２光入射領域に直交している。また、ＬＥＤ光源１Ｒ及びＬＥＤ光源１Ｂにおける主光線軸は、第１クロスダイクロイックミラー部２ａ及び第２クロスダイクロイックミラー部２ｂに対して４５°の角度で交差する。
【００２３】
各ＬＥＤ光源１から出射された色光はクロスダイクロイックミラー２によってロッドインテグレータ３の光入射領域に導かれる。ロッドインテグレータ３は、内面がミラー面とされた四角筒構造（中空構造）を有している。ロッドインテグレータ３の少なくとも光出射領域の縦横比は液晶パネル４の縦横比に略一致している。ロッドインテグレータ３は各ＬＥＤ光源１からの各色光を前記ミラー面にて反射させて液晶パネル４に導くので、各色光の光強度分布は液晶パネル４（照明対象物）上でほぼ均一化されることになる。
【００２４】
液晶パネル４は、ＲＧＢカラーフィルタを備えた構造、或いはＲＧＢカラーフィルタを備えない構造を有する。ＲＧＢカラーフィルタを備える構造の液晶パネル４を用いる場合には、全ＬＥＤ光源１Ｒ，１Ｇ，１Ｂを同時点灯して白色光を液晶パネル４に導く。前記ＲＧＢカラーフィルタを備えない構造の液晶パネル４を用いる場合には、ＬＥＤ光源１Ｒ，１Ｇ，１Ｂを時分割で順次に所定時間点灯させると共に、この所定時間点灯のタイミングに同期させて液晶パネル４に各色の映像信号を供給する。
【００２５】
液晶パネル４を透過することで変調された光（映像光）は、投写レンズ５によって拡大投写され、図示しないスクリーン上に投影表示される。
【００２６】
ＬＥＤ光源１は、平行光化用のレンズを備えていてもよい。また、ＬＥＤ光源１は、例えば、ＬＥＤチップがアレイ状に配置され且つ各ＬＥＤチップの光出射側にレンズセル（例えば、平行光化用）をモールド等により配置して成るものを用いることができる。ＬＥＤ光源１に代えて、１個のＬＥＤから成る光源を用いてもよい。
【００２７】
偏光変換装置をロッドインテグレータ３の光出射側に設けてもよい。この場合の偏光変換装置はロッドインテグレータ３の光出射部の大きさに対応した単一のＰＢＳ（偏光ビームスプリッタ）と、このＰＢＳにおける偏光分離膜に平行に設けられたミラーと、前記ミラー又はＰＢＳの光出射側に設けた位相差板とを備えればよい。ただし、この場合には、偏光変換装置の光出射部の大きさはロッドインテグレータ３の光出射部の大きさの２倍になる。従って、偏光変換装置の光出射部の全体形状が液晶パネルの縦横比に略一致させるのが望ましい。この場合、液晶パネルの縦横比をＡ：Ｂとすると、ロッドインテグレータ３の光出射部の縦横比は例えばＡ：Ｂ／２となる。また、ロッドインテグレータ３の光出射部だけでなく光入射部の縦横比をもＡ：Ｂ／２としてもよい。この場合、クロスダイクロイックミラー２とロッドインテグレータ３の光入射部との間にアナモフィック光学系を設け、光束の縦横比を調整すればよい。
【００２８】
また、偏光変換装置を各ＬＥＤの光出射側に設けてもよい。この場合の偏光変換装置はＬＥＤの光出射部の大きさに対応した単一のＰＢＳと、このＰＢＳにおける偏光分離膜に平行に設けられたミラーと、前記ミラー又はＰＢＳの光出射側に設けた位相差板とを備えればよい。
【００２９】
偏光変換装置は単一のＰＢＳから成るものに限るものではなく、一つのＬＥＤに対して二つのＰＢＳを用いてもよい。この場合、二つのＰＢＳにおける偏光分離膜は側面から見て＜形状に設けられ、前記＜形状の先鋭側にＬＥＤが配置される。また、一列に並べられた複数のＬＥＤに対して前記二つのＰＢＳを用いることもできる。この場合、一列に並べられた複数のＬＥＤは前記＜形状の先鋭側に配置される。また、偏光分離膜としては誘電体多層膜或いはワイヤーグリッドを用いることができる。
【００３０】
図３に投写型映像表示装置６Ｂの照明装置を示す。この照明装置において、クロスダイクロイックミラー２の第１光入射領域（ＬＥＤ光源１Ｒに対向する領域）には、ダイクロイックミラー２３が設けられており、クロスダイクロイックミラー２の第２光入射領域（ＬＥＤ光源１Ｂに対向する領域）には、ダイクロイックミラー２４が設けられている。ダイクロイックミラー２３は赤色光を透過し、他の色光を反射する。また、ダイクロイックミラー２４は青色光を透過し、他の色光を反射する。かかる構成であれば、ＬＥＤ光源１Ｇから出射される緑色光の利用効率が向上する。また、ダイクロイックミラー２３，２４がロッドインテグレータの役割を有し、照明光の均一性が向上する。
【００３１】
図４に示す投写型映像表示装置６Ｃはクロスダイクロイックミラー２１及びロッドインテグレータ３１を備えている。クロスダイクロイックミラー２１は、対面する第１・第２光入射領域が互いに非平行に形成されてテーパ形状を成している。そして、二つのダイクロイックミラー２３，２４は前記第１・第２光入射領域の非平行に合わせて互いに非平行に配置されている。前記クロスダイクロイックミラー２１の対面する二つの非光入射領域（前述したミラー板が配置される領域）も互いに非平行に形成されている。対面する第１・第２光入射領域と対面する二つの非光入射領域のいずれか一組だけを非平行としてもよい。
【００３２】
前記ロッドインテグレータ３１の対面する二側面は前記クロスダイクロイックミラー２１の第１・第２光入射領域と平行又は略平行に形成されてテーパ形状を成している。更に、前記ロッドインテグレータ３１の前記二側面は前記第１・第２光入射領域と面一に形成されている。前記ロッドインテグレータ３１の他の対面する二側面は前記クロスダイクロイックミラー２１の非光入射領域と平行又は略平行に形成されている。更に、前記ロッドインテグレータ３１の前記二側面は前記非光入射領域と面一に形成されている。前記ロッドインテグレータ３１の光出射領域はその光入射領域よりも小さい。
【００３３】
クロスダイクロイックミラー２１の光出射領域は、第３光入射領域よりも小さい。このような構成においてはダイクロイックミラー２３，２４の存在が一層効果的になる。光出射領域が第３光入射領域よりも大きいクロスダイクロイックミラー及び光出射領域が光入射領域よりも大きいロッドインテグレータを採用してもよく、かかる構成においては、光の分散角を小さくすることができる。この場合も、二つのダイクロイックミラー２３，２４は、第１・第２光入射領域の非平行に合わせて互いに非平行に配置される。
【００３４】
図４に示す構成例では、クロスダイクロイックミラー２１における第１クロスダイクロイックミラー部２１ａと第２クロスダイクロイックミラー部２１ｂとは非直角に交差している。前記クロスダイクロイックミラー部２１ａ，２１ｂにて反射された光源の主光線軸が互いに平行となるように、ＬＥＤ光源１Ｒ及びＬＥＤ光源１Ｂの主光線軸が調整されている。勿論、第１クロスダイクロイックミラー部２１ａと第２クロスダイクロイックミラー部２１ｂとは直角に交差していてもよい。この場合には、ＬＥＤ光源１Ｒ及びＬＥＤ光源１Ｂにおける主光線軸は、各クロスダイクロイックミラー部に対して４５°の角度で交差する。
【００３５】
図５は直角交差型のクロスダイクロイックミラー２１を示している。第１クロスダイクロイックミラー部２１ａは第１分割部２１ａ1 と第２分割部２１ａ2 とから成り、第２クロスダイクロイックミラー部２１ｂは第１分割部２１ｂ1 と第２分割部２１ｂ2 とから成る。第１分割部２１ａ1 は第２分割部２１ａ2 よりも大きい。また、第１分割部２１ｂ1 は第２分割部２１ｂ2 よりも大きい。すなわち、クロスダイクロイックミラー２１におけるクロス点は第１ダイクロイックミラー部２１ａ及び第２ダイクロイックミラー部２１ｂの非中央部に存在する。前記４枚の分割部は９０°の角を有する。クロスダイクロイックミラー２１は、これら４枚の分割部が各々の角辺を近接させてクロス配置された構造を有する。
【００３６】
図６は非直角交差型のクロスダイクロイックミラー２１を示している。第１クロスダイクロイックミラー部２１ａは第１分割部２１ａ1 と第２分割部２１ａ2 とから成り、第２クロスダイクロイックミラー部２１ｂは第１分割部２１ｂ1 と第２分割部２１ｂ2 とから成る。第１分割部２１ａ1 は第２分割部２１ａ2 よりも大きい。また、第１分割部２１ｂ1 は第２分割部２１ｂ2 よりも大きい。すなわち、クロスダイクロイックミラー２１におけるクロス点は第１ダイクロイックミラー部２１ａ及び第２ダイクロイックミラー部２１ｂの非中央部に存在する。前記４枚の分割部は非９０°の角を有する。クロスダイクロイックミラー２１は、これら４枚の分割部が前記非９０°の角辺を近接させてクロス配置された構造を有する。
【００３７】
図７は投写型映像表示装置６Ａ，６Ｂ，６Ｃの信号処理系の一例を示した説明図である。投写型映像表示装置６Ａ，６Ｂ，６Ｃは、映像信号処理回路６３、ガンマ補正回路６４、液晶パネル４等を備え、ＬＥＤ光源１から出射された光を前記液晶パネル４にて変調して投写する。電池（一次電池又は二次電池）６１は、各回路に電力を供給する。投写型映像表示装置６のマイコン（マイクロコンピュータ）６６は、無線ＬＡＮカード４１を介してパーソナルコンピュータ５０から受信した画像データ（符号データ）やメモリインターフェイス６８にてメモリカードから読み出した画像データ（符号データ）を映像復号部６２に供給する。
【００３８】
映像復号部６２は符号データを復号して映像信号を生成し、これをＯＳＤ（オンスクリーンディスプレイ）内蔵の映像信号処理回路６３に供給する。マイコン６６は、無線ＬＡＮカード４を介して文字データを受信した場合などには、その文字をＯＳＤ表示するよう映像信号処理回路６３を制御することもできる。また、投写型映像表示装置６Ａ，６Ｂ，６Ｃにはリモコン信号受光部６７が設けられており、リモコン送信機６０によって投写型映像表示装置６Ａ，６Ｂ，６Ｃを操作することができる。
【００３９】
無線ＬＡＮカード４１の装填部、メモリカード６８の装填部、或いは、他の回路基板などは、ＬＥＤ光源１Ｒの近傍に配置している。各ＬＥＤ光源１は発光に際して発熱するため、放熱板上にＬＥＤ光源を構成することが望ましい。このような光源冷却に鑑みた場合、例えば放熱板を大きくすると回路基板等の設置スペースが狭くなり、放熱板を小さくすると回路基板等の設置スペースは広くなる。ここで、ＬＥＤ光源１Ｒは、他のＬＥＤ光源に比べて発熱量は低いものとなっている。この実施形態では、無線ＬＡＮカード４１の装填部、メモリカード６８の装填部、或いは、他の回路基板などは、ＬＥＤ光源１Ｒの近傍に配置することとしており、この配置ためにＬＥＤ光源１Ｒ用の放熱板が小さくなったとしても光源冷却に対する影響は小さいことになる。別言すれば、投写型映像表示装置６Ａ，６Ｂ，６Ｃの小型化のために光学系に近接して回路基板等を配置しつつ光学系の冷却等に対する影響を小さくできる。勿論、このような構成（赤色光源の近傍に、回路基板、記憶装置、外部機材装着部等の部材を配置する構成、一次電池又は二次電池により駆動される構成）は、照明装置としての構成にも適用することができ、更に、クロスダイクロイックミラー２，２１に代えて通常のクロスダイクロイックミラーやクロスダイクロイックプリズムを用いる構成にも適用することができる。
【００４０】
以上の説明において、投写型映像表示装置６Ａ，６Ｂ，６Ｃは透過型の液晶パネルを用いることとしたが、これに限らず、反射型の液晶パネルを用いてもよいし、これら液晶パネルに替えて、画素となる微小ミラーを個々に駆動するタイプの表示パネルを用いることとしてもよい。また、固体発光素子は発光ダイオード（ＬＥＤ）に限るものではなく、有機／無機のエレクトロルミネッセンスなどを用いることができる。
【００４１】
また、以上説明した照明装置において、光インテグレータとして非中空構造のガラスロッドインテグレータを用いることもできる。また、光インテグレータとして一対のフライアイレンズから成るインテグレータレンズを用いることもできる。光源から出射される光束において十分な均一性が得られる場合には光インテグレータを省略することができる。また、光源は固体発光素子に限定されるものではない。また、投写レンズに代えて投写用の曲面ミラーを備えてもよい。
【００４２】
また、クロスダイクロイックミラー２，２１を用い、白色光源（固体発光素子に限定されない）からの白色光を各色光に分離してもよい。このような照明装置を用いる場合、投写型映像表示装置は、複数の各色光用のライトバルブと、前記ライトバルブを経ることで得られた映像光を合成するクロスダイクロイックプリズム（又は、クロスダイクロイックミラー）と、前記クロスダイクロイックプリズム（又は、クロスダイクロイックミラー）を経た映像光を投写する投写レンズ（或いは、投写用の曲面ミラー）と、を備えればよい。映像光を合成するクロスダイクロイックミラーとしてクロスダイクロイックミラー２，２１を用いることもできる。
【図面の簡単な説明】
【００４３】
【図１】この発明の実施形態の投写型映像表示装置の光学系を示した説明図である。
【図２】クロスダイクロイックミラーを示した側面図である。
【図３】この発明の他の実施形態の投写型映像表示装置（照明装置）の光学系を示した説明図である。
【図４】この発明の他の実施形態の投写型映像表示装置（照明装置）の光学系を示した説明図である。
【図５】図４の投写型映像表示装置で用いた直角交差型のクロスダイクロイックミラーを示した側面図である。
【図６】図４の投写型映像表示装置で用いた非直角交差型のクロスダイクロイックミラーを示した側面図である。
【図７】この発明の実施形態の投写型映像表示装置の信号処理系等を示した説明図である。
【符号の説明】
【００４４】
１    ＬＥＤ光源
２    クロスダイクロイックミラー
２１  クロスダイクロイックミラー
３    ロッドインテグレータ
４    液晶パネル
５    投写レンズ
６Ａ，６Ｂ，６Ｃ    投写型映像表示装置
【図１】
2005316405.tif 000003
【図２】
2005316405.tif 000004
【図３】
2005316405.tif 000005
【図４】
2005316405.tif 000006
【図５】
2005316405.tif 000007
【図６】
2005316405.tif 000008
【図７】
2005316405.tif 000009